(57)【要約】  本発明は、脂質除去能を有する化合物、生体色素脱色能を有する化合物、脱灰能を有する化合物、屈折率調整能を有する化合物、および組織膨潤能を有する化合物のうちの少なくとも１つを含んでいる溶液を用いる透明化技術に関し、処理が簡便で、またハイスループット且つ低倍率でのイメージングに適している。【特許請求の範囲】
【請求項１】
以下の（Ａ）〜（Ｅ）のうちの少なくとも１つ：
（Ａ）高い脂質除去能を有する化合物
（Ｂ）Ｎ，Ｎ，Ｎ’，Ｎ’−テトラキス（２−ヒドロキシプロピル）エチレンジアミンよりも高い脱色活性を示す化合物
（Ｃ）ＥＤＴＡと酸と塩基との組み合わせ
（Ｄ）水に対して６０ｗｔ％以上溶解し、且つ、６０〜８０ｗｔ％の範囲内の少なくとも１点の濃度の水溶液における屈折率が１．４７〜１．５０の範囲内である化合物
（Ｅ）尿素よりも高い膨潤活性を示す化合物
を含んでいる溶液であることを特徴とする、光透過性に優れた生物材料を調製するための組成物。
【請求項２】
光透過性に優れた生物材料を調製する方法であって、
以下の（Ａ）〜（Ｅ）のうちの少なくとも１つ：
（Ａ）高い脂質除去能を有する化合物
（Ｂ）Ｎ，Ｎ，Ｎ’，Ｎ’−テトラキス（２−ヒドロキシプロピル）エチレンジアミンよりも高い脱色活性を示す化合物
（Ｃ）ＥＤＴＡと酸と塩基との組み合わせ
（Ｄ）水に対して６０ｗｔ％以上溶解し、且つ、６０〜８０ｗｔ％の範囲内の少なくとも１点の濃度の水溶液における屈折率が１．４７〜１．５０の範囲内である化合物
（Ｅ）尿素よりも高い膨潤活性を示す化合物
を含んでいる溶液を、生物材料に浸潤させる工程を含むことを特徴とする方法。
【請求項３】
以下の（Ａ）〜（Ｅ）のうちの少なくとも１つ：
（Ａ）高い脂質除去能を有する化合物
（Ｂ）Ｎ，Ｎ，Ｎ’，Ｎ’−テトラキス（２−ヒドロキシプロピル）エチレンジアミンよりも高い脱色活性を示す化合物
（Ｃ）ＥＤＴＡと酸と塩基との組み合わせ
（Ｄ）水に対して６０ｗｔ％以上溶解し、且つ、６０〜８０ｗｔ％の範囲内の少なくとも１点の濃度の水溶液における屈折率が１．４７〜１．５０の範囲内である化合物
（Ｅ）尿素よりも高い膨潤活性を示す化合物
を含んでいる溶液が浸潤していることを特徴とする、光透過性に優れた生物材料。
【発明の詳細な説明】
【技術分野】
【０００１】
本発明は、光透過性に優れた生物材料を調製するための組成物およびその利用に関する。
【背景技術】
【０００２】
近年、組織内遺伝子発現、細胞内局在、細胞形態の高度な観察を行うために、透明化試薬を用いて組織の光透過性を高める前処理（透明化処理）が行われており、種々の透明化試薬および前処理方法が開発されている。【０００３】
例えば、非特許文献１および非特許文献２には、ベンジルベンゾエート／ベンジルアルコール（benzylbenzoate/benzylalchol（ＢＡＢＢ法））を用いた透明化処理技術が開示されている。ＢＡＢＢ法は、有機溶媒を用いた古典的な組織透明化方法であり、シート照明マクロズーム顕微鏡に適用する透明化サンプルを作製する方法として応用されている。【０００４】
非特許文献３には、フルクトースを用いて屈折率の調整を行う技術（ＳｅｅＤＢ法）が開示されている。処理の間に生じる生体組織の変化を最小限に抑えることを主目的としているため、分子レベルの構造、膜構造、および軸索の形状等がほぼ完全に保たれている。そして、２光子顕微鏡および最適化したレンズを用いることによって全脳レベルの観察が可能である。【０００５】
非特許文献４および特許文献１には、水溶性試薬を用いることによって蛍光シグナルの消失を最小限に抑えることに成功した技術（Ｓｃａｌｅ法）が開示されている。この技術も処理の間に生じる生体組織の変化を最小限に抑えることを主目的としており、主に神経科学における神経軸索の観察およびアルツハイマー病組織のアミロイド班の検出などの利用を目的としている。【０００６】
非特許文献５には、電気泳動装置を用いた物理化学的な方法によって透明化を行う技術（ＣＬＡＲＩＴＹ法）が開示されている。ＣＬＡＲＩＴＹ法は、アクリルアミドポリマーを用いて固めた脳組織を、電気泳動装置を用いて物理化学的に処理して脂質成分を除去することによって透明化を実現する。組織内の分子レベルの構造が保たれた状態で、高度な透明化が約２週間で実現する。蛍光タンパク質ラベリングおよび免疫染色のいずれにも適応可能である。【０００７】
非特許文献６には、ＣＬＡＲＩＴＹ法における電気泳動装置を用いた物理化学的な方法の難解さを改良し、ＣＬＡＲＩＴＹ法で用いられているＳＤＳ（界面活性剤）溶液の潅流により透明化を行う技術（ＰＡＣＴ法、ＰＡＲＳ法）が開示されている。【０００８】
非特許文献７には、ＣＬＡＲＩＴＹ法における電気泳動装置を用いた物理化学的な方法の難解さを改良し、ＣＬＡＲＩＴＹ法で用いられているＳＤＳ（界面活性剤）溶液を高温で処理することにより透明化を行う技術（ＳＷＩＴＣＨ法）が開示されている。
【先行技術文献】
【特許文献】
【０００９】
【特許文献１】国際公開第２０１２／１６１１４３号公報
【非特許文献】
【００１０】
【非特許文献１】Hans-Ulrich Dodt et al."Ultramicroscopy: three-dimensional visualization of neuronal networks inthe whole mouse brain" Nature Methods vol.4 no.4: 331-336 (2007)
【非特許文献２】Klaus Becker et al."Chemical Clearing and Dehydration of GFP Expressing Mouse Brains"PLoS ONE vol.7 issue 3: e33916 (2012)
【非特許文献３】Meng-Tsen Ke et al. "SeeDB:a simple and morphology-preserving optical clearing agent for neuronal circuitreconstruction" advance online publication (published online 23 June 2013)
【非特許文献４】Hiroshi Hama et al. "Scale:a chemical approach for fluorescence imaging and reconstruction of transparentmouse brain" Nature Neuroscience vol.14 no.11: 1481-1490 (2011)
【非特許文献５】Kwanghun Chung et al."Structural andmolecularinterrogation of intact biological systems"Nature vol.497: 332-339 (2013)
【非特許文献６】Bin Yang et al. "Single-CellPhenotyping within Transparent Intact Tissue through Whole-Body Clearing"Cell vol.158: 945-958 (2014)
【非特許文献７】Evan Murray et al. "Simple,Scalable Proteomic Imaging for High-Dimensional Profiling of IntactSystems" Cell vol.163: 1500-1514 (2015)
【発明の概要】
【発明が解決しようとする課題】
【００１１】
しかしながら、非特許文献１および非特許文献２に記載のＢＡＢＢ法では、脱水処理および有機溶剤処理に起因して蛍光タンパク質の消退が激しく、シグナルの検出が短期間で不可能となる。また、一般的に有機溶剤は安全面での懸念がある。【００１２】
非特許文献３に記載のＳｅｅＤＢ法は、全脳レベルの観察が可能であるもののスキャンニングに数日間を要する。また、２光子顕微鏡での利用が想定されているため、処理された組織（特に成体脳）の透明度は、シート照明系の顕微鏡に適応し得るほど高くない。【００１３】
非特許文献４に記載のＳｃａｌｅ法は、共焦点顕微鏡および２光子顕微鏡での利用が想定されているため、処理された組織（特に成体脳）の透明度は、シート照明系の顕微鏡に適応し得るほど高くない。【００１４】
非特許文献５に記載のＣＬＡＲＩＴＹ法、ならびに非特許文献６に記載のＰＡＣＴ法およびＰＡＲＳ法は、工程が煩雑でありかつ専用のデバイスを必要とするため、多サンプルの適応に向いていない。【００１５】
非特許文献７に記載のＳＷＩＴＣＨ法は、界面活性剤を用いた高温での処理を必要とするため蛍光タンパク質の消退が激しい。【００１６】
本発明は、上記の課題を解決するためになされたものであり、処理が簡便で、またハイスループット且つ低倍率でのイメージングに適した透明化技術を提供することを主目的とする。
【課題を解決するための手段】
【００１７】
上記の課題を解決するために、本発明者らは種々の独自の観点に基づいた大規模なスクリーニングを行った。その結果、生物材料の透明化を行い得る複数の化合物を見出し、本発明を完成するに至った。【００１８】
すなわち、本発明に係る組成物は、光透過性に優れた生物材料を調製するため組成物であって、以下の（Ａ）〜（Ｅ）のうちの少なくとも１つ：
（Ａ）高い脂質除去能を有する化合物
（Ｂ）Ｎ，Ｎ，Ｎ’，Ｎ’−テトラキス（２−ヒドロキシプロピル）エチレンジアミンよりも高い脱色活性を示す化合物
（Ｃ）ＥＤＴＡと酸と塩基との組み合わせ
（Ｄ）水に対して６０ｗｔ％以上溶解し、且つ、６０〜８０ｗｔ％の範囲内の少なくとも１点の濃度の水溶液における屈折率が１．４７〜１．５０の範囲内である化合物
（Ｅ）尿素よりも高い膨潤活性を示す化合物
を含んでいる溶液であることを特徴とする。【００１９】
本発明に係る方法は、光透過性に優れた生物材料を調製する方法であって、上記の（Ａ）〜（Ｅ）のうちの少なくとも１つを含んでいる溶液を、生物材料に浸潤させる工程を含むことを特徴とする。【００２０】
本発明に係る光透過性に優れた生物材料は、上記の（Ａ）〜（Ｅ）のうちの少なくとも１つを含んでいる溶液が浸潤していることを特徴とする。
【発明の効果】
【００２１】
本発明は、化学的な処理をベースにした技術であり、特殊なデバイスの使用および手技の煩雑さがない。さらに、本発明は、多サンプルのハイスループットな解析を可能とするレベルにまで高度な透明化を簡便な処理により実現することができる。
【図面の簡単な説明】
【００２２】
【図１】本発明の実施例における、脱脂活性と化合物カテゴリとの相関を示す図である。
【図２】本発明の実施例における、脱脂活性とｐＨとの相関を示す図である。
【図３】本発明の実施例における、マウス半脳の透明化と脱脂効率を示す図である。
【図４】本発明の実施例における、マウス半脳の透明度とリン脂質含量との相関を示す図である。
【図５】本発明の実施例における、１０ｗｔ％ ＃００７０＋１０ｗｔ％ ケミカルによるヒト脳白質の透明化の比較を示す図である。
【図６】本発明の実施例における、１０ｗｔ％ ＃００７０＋１０ｗｔ％ 界面活性剤によるヒト脳白質の透明化の比較を示す図である。
【図７】本発明の実施例における、ＥＧＦＰの蛍光強度とｐＨとの相関を示す図である。
【図８】本発明の実施例における、塩基性ケミカルによるマウス半脳の透明度の比較を示す図である。
【図９】本発明の実施例における、１０ｗｔ％ ＃０４１４＋１０ｗｔ％ ケミカルによるマウス腎臓の透明化および脱脂効率を示す図である。
【図１０】本発明の実施例における、＃０４１４カクテルによるＥＧＦＰの消光効率を示す図である。
【図１１】本発明の実施例における、１０ｗｔ％ ＃０４１４＋１０ｗｔ％ TritonX-100によるマウス全脳の透明化を示す図である。
【図１２】本発明の実施例における、マウス脾臓の脱色効率を示す図である。
【図１３】本発明の実施例における、ＥＤＴＡカクテルによるマウス大腿骨の透明化およびＧＦＰに対する蛍光消光を示す図である。
【図１４】本発明の実施例における、ハイドロキシアパタイト懸濁液の可溶化試験を示す図である。
【図１５】本発明の実施例における、ＥＤＴＡ＋♯０４１４カクテルによるハイドロキシアパタイト懸濁液の可溶化におけるｐＨ依存性を示す図である。
【図１６】本発明の実施例における、ＥＤＴＡ＋♯０４１４カクテルによるハイドロキシアパタイト懸濁液の可溶化における温度依存性およびＥＤＴＡ濃度依存性を示す図である。
【図１７】本発明の実施例における、１０ｗｔ％ＥＤＴＡ＋塩基性ケミカルによる脱灰活性比較を示す図である。
【図１８】本発明の実施例における、各種屈折率調整剤によるマウス腎臓の透明化を示す図である。
【図１９】本発明の実施例における、各種屈折率調整剤によるマウス肺の透明化を示す図である。
【図２０】本発明の実施例における、ゼラチンを用いた膨潤スクリーニングにおける上位化合物を示す図である。
【図２１】本発明の実施例における、膨潤活性試薬♯１３５２による脱脂処理後脳の膨潤を示す図である。
【図２２】本発明の実施例における、♯０６４０＋♯１３５２混合溶液による透明化膨潤脳を示す図である。
【図２３】本発明の実施例における、マウス肝臓およびヒト脳白質を含む組織の透明化を示す図である。
【図２４】本発明の実施例における、マウス脳組織の透明化を示す図である。
【図２５】本発明の実施例における、脱脂処理組織の屈折率調整を示す図である。
【図２６】本発明の実施例における、マウス臓器および全身の透明化を示す図である。
【図２７】本発明の実施例における、ヒト組織の透明化を示す図である。
【図２８】本発明の実施例における、ヒト脳組織の透明化を示す図である。
【図２９】本発明の実施例における、マーモセット脳の透明化を示す図である。
【発明を実施するための形態】
【００２３】
以下に、本発明の実施の形態について詳細に説明する。
【００２４】
〔１．組成物〕
本発明は、光透過性に優れた生物材料を調製するための組成物を提供する。本発明に係る組成物は、後述の（Ａ）〜（Ｅ）のうちの少なくとも１つ（１つ、２つ、３つ、４つ、または５つ）を含んでいる溶液であることを特徴とする。
【００２５】
本発明において使用される場合、用語「光透過性」は、入射光に対して透過光がどの程度通過するか、または励起光照射による蛍光がどの程度通過し、また散乱が低いかの程度をいい、「光透過性に優れた」という表現は、一例として、観察対象への入射光に対する観察対象からの出射光（すなわち透過光）の割合が高いことをいう。光透過性は、例えば、入射光に対する透過光の割合について、光を遮断する物質（例えば黒色の厚みのあるプラスチックまたは金属など）の場合を０％とし、水のような透明な液体の場合を１００％として、百分率で表わすことができる。一実施形態に係る光透過性に優れた生物材料において、入射光に対する透過光の割合は、分光測色計を用いて測定した光透過率が４０％以上であり、好ましくは、５０％以上、６０％以上、７０％以上、８０％以上、９０％以上、９５％以上、９８％以上、または９９％以上である。
【００２６】
本発明の適用対象となる生物材料の種類は特に限定されないが、植物由来の材料または動物由来の材料が好ましく、魚類、両生類、爬虫類、鳥類または哺乳類（哺乳動物）等の動物由来の材料がより好ましく、哺乳動物由来の材料が特に好ましい。また、哺乳動物の種類は特に限定されないが、マウス、ラット、ウサギ、モルモット、ヒトを除く霊長類（マーモセット等）等の実験動物；イヌ、ネコ等の愛玩動物（ペット）；ウシ、ウマ等の家畜；ヒト；が挙げられる。
【００２７】
また、生物材料は、個体そのものであってもよく（生きているヒト個体そのものは除く）、多細胞生物の個体から取得した器官、組織、体液（例えば、血液、唾液、血清、血漿、尿、滑液、髄液等）あるいは細胞であってもよい。生物は成体であってもよいし、胎仔であってもよい。本発明に係る組成物は優れた透明化処理能力を有するので、生物材料が、多細胞動物由来の組織または器官（例えば、骨、脳、心臓、肺、肝臓、脾臓または腎臓の全体またはその一部）、あるいはヒトを除く多細胞動物の個体（例えば、胚、成体等）そのものであっても透明化処理を適用可能である。また、生物材料は、パラホルムアルデヒド等で固定化処理された材料であってもよく、固定化されていない材料であってもよい。
【００２８】
生物材料は、具体的には例えば、蛍光性化学物質を注入した生体組織、蛍光性化学物質で染色を行った生体組織、蛍光タンパク質を発現した細胞を移植した生体組織、または蛍光タンパク質を発現した遺伝子改変動物の生体組織等であってもよい。
【００２９】
本発明を用いれば、生物材料の光透過性を顕著に高めることができるので、ハイスループットでイメージングを可能とする。具体的には、
・蛍光タンパク質、蛍光物質のシグナルの消失が最小限に抑制される。
・多サンプル（数十個〜数百個）を同時に並行して処理することができる。
・シート照明顕微鏡との併用が実現する程度に高度な透明化が実現する。
・組織領域の構築に対する影響を最小限に抑制することができる。
・成体のような、大きく且つ多様な組織からなるサンプルに対しても、効果的に透明化を実現する。
【００３０】
さらに、本発明に係る組成物を用いる透明化処理は、ある程度まで可逆的である。具体的には、透明化処理後の生物材料を、平衡塩類溶液に浸漬するだけで、透明化状態を解除し、保存、免疫組織化学的アッセイ、または生化学的アッセイ等の用途に使用することが可能である。平衡塩類溶液とは、具体的には例えば、ＰＢＳ、ＨＢＳＳなどリン酸塩によって緩衝液化された平衡塩類溶液；トリス塩酸塩によって緩衝液化された平衡塩類溶液（ＴＢＳ）；人口脳脊髄液（ＡＣＳＦ）；ＭＥＭ、ＤＭＥＭ、およびＨａｍ’ｓ  Ｆ−１２などの細胞培養用の基礎培地；等が挙げられる。透明化処理の前後においてタンパク質等の抗原性が変化されることなく保存されるため、通常の組織染色、および免疫染色の手法を用いた分析が可能である。
【００３１】
（（Ａ）脱脂除去能を有する化合物）
本発明に係る組成物に含まれ得る（Ａ）の化合物は、脂質除去能を有する化合物である。（Ａ）の化合物は、一例において、高い脂質除去能を有する。
【００３２】
（Ａ）の化合物は、一実施形態において、実施例に記載の方法で測定した際の混合溶液のＯＤ６００が０．３３６以下の化合物である。（Ａ）の化合物は、別の実施形態において、例えば、ポリエーテル、アニオン性界面活性剤、カチオン性界面活性剤、両性界面活性剤、アミン、アミノアルコール、多価アルコール、界面活性剤様芳香族エーテル、およびピリジンのうちの少なくとも１つである。組織内への浸透性の高さの観点では、アミンおよびポリアルコールが好ましく、アミンがより好ましい。
【００３３】
アミンは、第１級アミン、第２級アミン、第３級アミン、および第４級アミンの何れであってもよい。また、化合物中に含まれるアミン基の数は、１つ、２つ、３つ、４つまたはそれ以上であり得る。アミンの炭化水素部分は、直鎖状であってもよいし、分枝状であってもよいし、環状であってもよい。アミンの炭化水素部分は、飽和であってもよいし、不飽和であってもよい。また、ベンゼン環等の芳香環を有していてもよい。アミンの炭化水素部分の炭素数は特に限定されないが、例えば、１〜２０個、１〜１５個、１〜１０個、または２〜８個であり得る。
【００３４】
（Ａ）の化合物のより具体的な一例として、表１に記載の化合物およびその類似体が挙げられる。一例において、表１の＃００７０（１，３−ビス（アミノメチル）シクロヘキサン）およびその類似体が好ましい。＃００７０の類似体としては、例えば、ビス（アミノアルキル）シクロアルキルが挙げられる。アミノアルキル基におけるアルキルの炭素数は特に限定されないが、例えば、１〜８個であり得、好ましい一例では１個である。また、シクロアルキル部分におけるアルキルの炭素数は特に限定されないが、例えば、３〜８個であり得、好ましい一例では６個である。また、２つのアミノアルキル基が結合する位置は特に限定されず、１，２−、１，３−、または１，４−であり得る。表１に記載の化合物およびその類似体の中では、安価であり且つ臭気が少ないという観点から、表１の＃００７０（１，３−ビス（アミノメチル）シクロヘキサン）が好ましい。
【００３５】
また、（Ａ）の化合物は、１種類であってもよいし、複数種類であってもよい。一実施形態において、（Ａ）の化合物は、ポリエーテル、アニオン性界面活性剤、カチオン性界面活性剤、両性界面活性剤、アミン、アミノアルコール、多価アルコール、界面活性剤様芳香族エーテル、およびピリジンのうちの複数種類の組み合わせであり得る。一例において、アミンと界面活性剤とを組み合わせることが好ましい場合がある。好ましいアミンと界面活性剤との組み合わせとしては、例えば、＃００７０と＃０６３１との組み合わせ、＃００７０とＳＤＳとの組み合わせが挙げられ、なかでも＃００７０と＃０６３１との組み合わせがより好ましい。
【００３６】
また、生物材料が蛍光タンパク質を含む場合、ｐＨが５〜１２、好ましくは７〜１１の化合物を用いることが好ましい。なかでも、透明度の観点からは、♯０３８９および♯０４１４が好ましく、♯０４１４がより好ましい。♯０４１４は、さらに他の化合物と組み合わせてもよく、好ましい組み合わせとしては、♯０４１４とTriton X-100との組み合わせ、♯０４１４とTween-40との組み合わせ、♯０４１４と＃１０５１との組み合わせ、♯０４１４と＃０６９４との組み合わせ、♯０４１４とスクロースとの組み合わせ等が挙げられ、なかでも♯０４１４とTriton X-100との組み合わせがより好ましい。
【００３７】
組成物における（Ａ）の化合物の濃度は、特に限定されないが、例えば、５〜６０ｗｔ％であることが好ましく、１０〜４０ｗｔ％であることがより好ましく、１５〜３０ｗｔ％であることがさらに好ましい（２種類以上含む場合は合計値）。一例において、アミンと界面活性剤とを組み合わせる場合、アミンを１０〜２０ｗｔ％、界面活性剤を５〜１０ｗｔ％とすることができる。
【００３８】
（（Ｂ）生体色素脱色能を有する化合物）
本発明に係る組成物に含まれ得る（Ｂ）の化合物は、生体色素脱色能を有する化合物である。（Ｂ）の化合物は、一例において、高い生体色素脱色能を有する。
【００３９】
（Ｂ）の化合物は、一実施形態において、アミノアルコール（Ｎ，Ｎ，Ｎ’，Ｎ’−テトラキス（２−ヒドロキシプロピル）エチレンジアミン）よりも高い脱色活性を示す化合物である。脱色活性は、例えば、実施例に記載の方法で測定することができる。
【００４０】
（Ｂ）の化合物は、別の実施形態において、例えば、アルキルイミダゾール、ホスフィン、界面活性剤、アミン、ピリジン、アミノアルコール、アルコール、ベンジルアミド、およびピラゾロンのうちの少なくとも１つである。
【００４１】
（Ｂ）の化合物のより具体的な一例として、表２に記載の化合物およびその類似体が挙げられる。一例において、（Ｂ）の化合物は、蛍光タンパク質の蛍光を保持するものが好ましく、そのような化合物としては、表２に記載の＃０４４１、＃０４７０、＃０４８４、＃０６３５、＃０６５１、＃０９３８、＃１２８３およびそれらの類似体が挙げられる。
【００４２】
蛍光タンパク質の蛍光を保持し、且つ、高い脱色活性を示す観点から、＃０６５１、＃０９３８、およびそれらの類似体が好ましく、＃０９３８およびそれらの類似体がより好ましい。
【００４３】
＃０９３８の類縁体としては、アルキルイミダゾール類に包含される化合物が挙げられる。アルキル基は、直鎖状であってもよいし、分枝状であってもよいし、環状であってもよい。アルキル基は、飽和であってもよいし、不飽和であってもよい。アルキル基の炭素数は特に限定されないが、例えば、１〜２０個、１〜１５個、１〜１０個、１〜８個、１〜６個、１〜５個、１〜４個、１〜３個、または１〜２個であり得る。また、アルキル基の結合位置は特に限定されないが、好ましくは１位（１−アルキルイミダゾール）である。安価である観点では、１−メチルイミダゾールが好ましい。
【００４４】
（Ｂ）の化合物は、１種類であってもよいし、複数種類であってもよい。
【００４５】
組成物における（Ｂ）の化合物の濃度は、特に限定されないが、例えば、５〜４０ｗｔ％であることが好ましく、５〜３０ｗｔ％であることがより好ましく、１０〜２０ｗｔ％であることがさらに好ましい（２種類以上含む場合は合計値）。
【００４６】
（Ｂ）の化合物は、一例において、ヘムとの親和性が高く、タンパク質を破壊せずにヘモグロビンからヘムを脱離させることができ得る。
【００４７】
（（Ｃ）脱灰能を有する化合物）
本発明に係る組成物に含まれ得る（Ｃ）の化合物は、脱灰能を有する化合物である。（Ｃ）の化合物は、一例において、高い脱灰能を有する。
【００４８】
（Ｃ）の化合物は、一実施形態において、ＥＤＴＡ（エチレンジアミン四酢酸）と酸と塩基との組み合わせである。ＥＤＴＡと酸と塩基とを組み合わせることにより、効率的に脱灰を行い得る。また、一例において、蛍光タンパク質のシグナルの消失が最小限に抑制される。
【００４９】
酸としては、例えば、ハロゲン化モノカルボン酸、ヒドロキシモノカルボン酸、脂肪属モノカルボン酸、アルキルアミノモノカルボン酸、アセチルアミノモノカルボン酸、その他モノカルボン酸、ジカルボン酸、リンゴ酸、チオジカルボン酸、酒石酸、マロン酸、その他ジカルボン酸、多価カルボン酸、糖類、テトラフルオロホウ酸塩、ホスホン酸類、スルホン酸類、ハイドロカーボン、アミン類の酸塩、および芳香族アミンの酸塩が挙げられる。一例において、酸は、組織損傷の観点から、ｐＨが２．０以上であることが好ましい。
【００５０】
より具体的な酸としては、表４に記載の化合物が挙げられる。また、表４に記載の化合物の中で、好ましい酸としては、実施例におけるＳｃｏｒｅ値が０．９以下の化合物が挙げられる。また、表４に記載の化合物の中で、より好ましい酸としては、＃１１６５および＃１３００が挙げられる。酸は、１種類であってもよいし、複数種類であってもよい。
【００５１】
塩基としては、一例において、脱脂除去能を有する化合物が好ましい。塩基として具体的には、上記（Ａ）で説明した脱脂除去能を有する塩基（アミン、アミノアルコール、およびピリジン）が挙げられ、これらの中で、好ましくはアミノアルコールであり、より好ましくは＃０４１４およびその類似体である。＃０４１４の類似体としては、Ｎ−アルキルジアルコールアミンが挙げられる。Ｎ−アルキルジアルコールアミンにおけるアルキル基は、直鎖状であってもよいし、分枝状であってもよいし、環状であってもよい。Ｎ−アルキルジアルコールアミンにおけるアルキル基は、飽和であってもよいし、不飽和であってもよい。Ｎ−アルキルジアルコールアミンにおけるアルキル基の炭素数は特に限定されないが、例えば、１〜８個であり得、好ましい一例では４個である。２つのアルコール部分の炭素数は、特に限定されず、また互いに同じでも異なっていてもよいが、例えば、１〜８個であり得、好ましい一例では２個である。塩基は、１種類であってもよいし、複数種類であってもよい。
【００５２】
塩基としては、別の一例において、イミダゾール類縁体が好ましく、＃１３５２がより好ましい。その他にも、＃１２７８（４−メチルモルホリン）等のヘテロ環状アミン、および＃０３７０（２−アミノ−６−メチルピリジン）も好ましいものとして挙げられる。
【００５３】
（Ｃ）を含む溶液のｐＨは、６〜１１であることが好ましく、７〜９であることがより好ましく、８付近であることがさらに好ましい。
【００５４】
（Ｃ）を含む溶液におけるＥＤＴＡ濃度は、特に限定されないが、５〜２５ｗｔ％であることが好ましく、７．５〜２０ｗｔ％であることがより好ましく、１０ｗｔ％付近であることがさらに好ましい。（Ｃ）を含む溶液における酸の濃度は、特に限定されないが、５〜２５ｗｔ％であることが好ましく、７．５〜２０ｗｔ％であることがより好ましく、１０ｗｔ％付近であることがさらに好ましい。（Ｃ）を含む溶液における塩基の濃度は、特に限定されず、溶液のｐＨが目的のｐＨとなるような濃度とすればよい。（Ｃ）を含む溶液の調製方法の一例では、ＥＤＴＡと酸とを含む溶液に塩基を添加する。
【００５５】
（（Ｄ）屈折率調整能を有する化合物）
本発明に係る組成物に含まれ得る（Ｄ）の化合物は、屈折率調整能を有する化合物である。（Ｄ）の化合物は、一例において、高い屈折率調整能を有する。
【００５６】
（Ｄ）の化合物は、一実施形態において、水に対して６０ｗｔ％以上溶解し、且つ、６０〜８０ｗｔ％の範囲内の少なくとも１点の濃度の水溶液における屈折率が１．４７〜１．５０の範囲内である化合物である。
【００５７】
（Ｄ）の化合物は、別の実施形態において、例えば、ベンジルアミン、ピリジン、アミン、ベンジルアミノアルコール、ヒドラジン、およびチオ尿素のうちの少なくとも１つである。
【００５８】
（Ｄ）の化合物のより具体的な一例として、表３に記載の化合物およびその類似体が挙げられる。収縮を抑制する観点において、（Ｄ）の化合物は、塩を含まない化合物であることが好ましい。そのような化合物としては、表３に記載の＃０３７０、＃０３８９、＃０５８７、＃０６０９、＃０６４０、＃１１０２、＃１２８３、およびこれらの類似体が挙げられる。また、これらの化合物の中で、より高い透明度が達成され得る観点では、＃０５８７、＃０６４０、＃１１０２、＃１２８３、およびこれらの類似体が好ましく、＃０５８７およびこれらの類似体がより好ましい。
【００５９】
また、表３に記載の化合物およびその類似体において、蛍光タンパク質の蛍光を保持する観点では、＃０６４０、＃０４５０、＃１２８３、＃０８６４、＃１０５２、＃０７８８、＃０３８９、およびこれらの類似体が好ましい。
【００６０】
さらに、より高い透明度が達成され得る観点で、＃０６４０と＃１２８３との組み合わせ、＃０６４０とニコチンアミド（＃０８５５）との組み合わせ、およびHistodenzと＃１２８３との組み合わせも好ましい。
【００６１】
（Ｄ）の化合物は、１種類であってもよいし、複数種類であってもよい。
【００６２】
組成物における（Ｄ）の化合物の濃度は、一例において、屈折率が１．４７〜１．５３となる濃度であることが好ましく、具体的には、例えば、５０〜９０ｗｔ％であることが好ましく、６０〜８５ｗｔ％であることがより好ましく、７０〜８０ｗｔ％であることがさらに好ましい（２種類以上含む場合は合計値）。上記に列挙した具体的な組み合わせにおいては、例えば、前者を４０〜５０ｗｔ％、後者を２５〜３５ｗｔ％とすることが好ましい。
【００６３】
（（Ｅ）組織膨潤能を有する化合物）
本発明に係る組成物に含まれ得る（Ｅ）の化合物は、組織膨潤能を有する化合物である。（Ｅ）の化合物は、一例において、高い組織膨潤能を有する。
【００６４】
（Ｅ）の化合物は、一実施形態において、尿素よりも高い膨潤活性を示す化合物である。膨潤活性は、例えば、実施例に記載の方法で測定することができる。
【００６５】
（Ｅ）の化合物としては、例えば、図２０に記載の化合物、イミダゾール誘導体およびアンチピリン類縁体が挙げられる。
【００６６】
（Ｅ）の化合物は、１種類であってもよいし、複数種類であってもよい。
【００６７】
組成物における（Ｅ）の化合物の濃度は、特に限定されないが、例えば、５〜４０ｗｔ％であることが好ましく、５〜３０ｗｔ％であることがより好ましく、５〜２５ｗｔ％であることがさらに好ましい（２種類以上含む場合は合計値）。
【００６８】
（Ｂ）の化合物は、一例において、生物材料の形状を維持しつつ体積を４〜１０倍に膨張させ得る。
【００６９】
（組み合わせ）
１つの組成物中に（Ａ）〜（Ｅ）のうちの複数が含まれていてもよい。
【００７０】
一例において、組成物は（Ａ）および（Ｅ）の少なくとも何れか一方を必須に含むことが好ましい。生物材料が血液またはミオグロビン等の生体色素を豊富に含む場合、組成物は（Ｂ）を含んでいることが好ましい。また、生物材料が骨組織を含む場合、組成物は（Ｃ）を含んでいることが好ましい。
【００７１】
（溶媒）
本発明に係る組成物に使用される溶媒の種類は、上述した有効成分を溶解し得る限り特に限定されないが、水を主溶媒として用いることが好ましく、水のみを溶媒として用いることが特に好ましい。なお、本発明において、「水を主溶媒として用いる」とは、使用される全溶媒に占める水の体積の割合が他の溶媒と比較して最も多いことを指し、好ましくは使用される全溶媒の体積の合計の５０％を超え１００％以下の量の水を用いることを指す。また、水を主溶媒として用いて調製された本発明に係る組成物を、水溶液としての試薬と称する。
【００７２】
なお、水を主溶媒として用いた場合には、例えば、固定化した標本にはジメチルスルホキシド（ＤＭＳＯ）を水と混合し用いてもよい。例えば固定化した標本にＤＭＳＯを混合して用いれば、生物材料に対する試薬の浸透性の向上、および角質表面を有する組織の透明化処理促進等の効果が期待される。
【００７３】
溶媒として水を用いる主な利点は、以下のとおりである：
１）本発明に係る組成物の有効成分は水への溶解性に優れているため、本発明に係る組成物の調製が容易かつ低コストとなる；
２）有機溶媒を主溶媒として用いる場合と比較して、透明化処理時に処理対象となる生物材料の脱水を伴わない。そのため、生物材料が収縮するという問題を抑制可能となる；
３）有機溶媒を主溶媒として用いる場合と比較して、蛍光タンパク質に損傷を与える可能性が著しく低減される。そのため、透明化処理を受けた生物材料を、蛍光タンパク質を用いて観察可能となる；
４）固定化された材料に限定されず、生材料の透明化処理に適用可能となる；
５）透明化処理が可逆的となり、透明化処理後の生体試料を必要に応じて透明化処理前の状態に戻すことができる；
６）有機溶媒を主溶剤として用いる場合と比較して、取り扱いの安全性がより高くなる。
【００７４】
また、本発明に係る組成物は、透明化処理の対象となる生物材料に好適なｐＨの維持が可能な緩衝液であってもよい。さらに、本発明に係る組成物は、透明化処理の対象となる生物材料の変形を招来せず、かつ生物材料内に有効成分が充分に浸透する程度に、その浸透圧が調整されていてもよい。
【００７５】
（さらなる任意成分）
本発明に係る組成物において、溶液は、必要に応じて、さらなる任意成分を含んでいてもよい。任意成分としては、例えば、ｐＨ調整剤、および浸透圧調整剤等が挙げられる。
【００７６】
〔２．方法〕
本発明は、光透過性に優れた生物材料を調製する方法を提供する。本発明に係る方法は、上述の（Ａ）〜（Ｅ）のうちの少なくとも１つ（１つ、２つ、３つ、４つ、または５つ）を含んでいる溶液を、生物材料に浸潤させる工程（浸潤工程）を含むことを特徴とする。溶液については、上記で説明したとおりである。
【００７７】
また、本発明に係る方法は、一実施形態において、（Ａ）〜（Ｅ）のうちの少なくとも１つを含んでいる溶液（第一溶液）を、生物材料に浸潤させる工程（第一浸潤工程）と、（Ａ）〜（Ｅ）のうちの別の少なくとも１つを含んでいる溶液（第二溶液）を、生物材料に浸潤させる工程（第二浸潤工程）とを含んでいてもよく、さらに、（Ａ）〜（Ｅ）のうちのさらに別の少なくとも１つを含んでいる溶液（第三溶液）を、生物材料に浸潤させる工程（第三浸潤工程）、（Ａ）〜（Ｅ）のうちのさらに別の少なくとも１つを含んでいる溶液（第四溶液）を、生物材料に浸潤させる工程（第四浸潤工程）、および（Ａ）〜（Ｅ）のうちのさらに別の少なくとも１つを含んでいる溶液（第五溶液）を、生物材料に浸潤させる工程（第五浸潤工程）、のうちの少なくとも１つ（１つ、２つ、３つ、４つ、または５つ）を含んでいてもよい。
【００７８】
（浸潤工程）
浸潤工程では、（Ａ）の化合物による脱脂、（Ｂ）の化合物による脱色、（Ｃ）の化合物による脱灰、（Ｄ）の化合物による屈折率調整、および（Ｅ）の化合物による膨潤のうちの少なくとも１つが行われる。すなわち、本発明に係る方法は、（Ａ）の化合物による脱脂工程、（Ｂ）の化合物による脱色工程、（Ｃ）の化合物による脱灰工程、（Ｄ）の化合物による屈折率調整工程、および（Ｅ）の化合物による膨潤工程のうちの少なくとも１つ（１つ、２つ、３つ、４つ、または５つ）を含む。複数の工程を含む場合、それらの工程は、別々に行われてもよいし、２つ以上が同時に行われてもよい。
【００７９】
脱脂工程に供された生物材料は、光散乱物質（主に脂質）が除去されて、優れた光透過性を示す。そのため、脱脂工程は、脂質を多く含有している生物材料（例えば、脂質を多く含有している器官または組織）を透明化する場合において特に効果的な工程である。脱脂工程は、例えば、２５〜４５℃において１〜１０日程度行えばよい。
【００８０】
脱色工程に供された生物材料は、生体色素（主に血液中のヘモグロビン）が脱色されて、優れた光透過性を示す。そのため、脱色工程は、血液を透明化する場合、および血液を多く含有している生物材料（例えば、血液を多く含有している器官または組織）を透明化する場合において特に効果的な工程である。脱色工程は、例えば、２５〜４５℃において１〜５日程度行えばよい。
【００８１】
脱灰工程に供された生物材料は、カルシウムを多く含有している組織（骨および歯など）が脱灰されて、優れた光透過性を示す。そのため、脱灰工程は、カルシウムを多く含有している生物材料（例えば、カルシウムを多く含有している器官または組織）を透明化する場合において特に効果的な工程である。脱灰工程は、例えば、２５〜４５℃において３〜１０日程度行えばよい。
【００８２】
屈折率調整工程に供された生物材料は、液体成分とタンパク質等の生体分子との屈折率が近くなっているため、優れた光透過性を示す。そのため、あらゆる生物材料に対して効果的な工程である。屈折率調整工程は、例えば、２５〜３７℃において１〜４日程度行えばよい。
【００８３】
膨潤工程に供された生物材料は、膨潤しているため、優れた光透過性を示す。また、光学解像度も向上する。そのため、あらゆる生物材料に対して効果的な工程である。膨潤工程は、例えば、１０〜３５℃において１〜７日程度行えばよい。
【００８４】
各工程の順序は、特に限定されないが、５つ全てを行う場合には、下記（１）→（２）→（３）の順に行うことが好ましい。
（１）脱脂工程、脱色工程
（２）脱灰工程、膨潤工程
（３）屈折率調整工程
（１）において、脱脂工程と脱色工程とは別々に行ってもよいし、同時に行ってもよい。一例において、脱脂工程に用いる（Ａ）の化合物と脱色工程に用いる（Ｂ）の化合物とが部分的にまたは全部が共通しており、同時に行うことができる。あるいは、（Ａ）の化合物と（Ｂ）の化合物とを混合して同時に行ってもよい。また、別々に行う場合には、どちらを先に行ってもよいが、脱脂工程を先に行うことが好ましい。（２）において、脱灰工程と膨潤工程との順序は特に限定されず、どちらを先に行ってもよい。
【００８５】
５つの工程のうちの少なくとも１つを行わない場合も、上記の順序に従うことが好ましい。
【００８６】
（さらなる任意工程）
本発明に係る方法では、任意のタイミングで、生物材料を洗浄する工程（洗浄工程）を行ってもよい。洗浄工程は、例えば、浸潤工程を開始する前、各浸潤工程の合間、および／または浸潤工程を終了した後等のタイミングで行うことができる。洗浄は、例えば、ＰＢＳまたは蒸留水等を用いて行えばよい。また、洗浄は、各洗浄工程につき、例えば、１〜５回行えばよい。
【００８７】
本発明に係る方法では、任意のタイミングで、透明化された生物材料を、例えば、室温または低温環境下で保存してもよい（透明化試料保存工程）。その場合、生物材料は、乾燥を防ぐために、上記溶液またはＰＢＳ等の平衡塩類溶液に浸漬した状態で保存することが好ましい。
【００８８】
本発明に係る方法は、本発明以外の透明化方法と組み合わせてもよい。例えば、脱脂工程および脱色工程を本発明の方法で行い、屈折率調整を本発明以外の透明化方法（例えば、ＳｅｅＤＢ法）で行ってもよい。
【００８９】
透明化された生物材料は、例えば、光学顕微鏡によって観察する工程（観察工程）に供される。観察工程に供される生物材料は、必要に応じて、本発明の透明化処理を施す前に、または透明化処理後で観察工程前に、染色またはマーキング等の可視化処理工程が施されてもよい。例えば、可視化処理工程に蛍光タンパク質を用いる場合には、透明化処理の前に、生きた生物材料に対して蛍光タンパク質遺伝子を導入して、蛍光タンパク質を発現させる。また、可視化処理工程として、蛍光性化学物質（蛍光タンパク質は除く）の生物材料への注入、または蛍光性化学物質を用いた生物材料の染色を行う場合には、透明化処理の前に行うことが好ましいが、透明化処理の後に行うこともできる。さらに、可視化処理工程として、蛍光性化学物質以外の化学物質を用いた染色を行うこともできる。
【００９０】
観察工程は、あらゆる種類の光学顕微鏡を用いて行うことができる。例えば、観察工程は、シート照明顕微鏡、二光子レーザー顕微鏡、および／または共焦点顕微鏡等を用いて行うことができる。本発明の方法は、特に、低倍率での多サンプルのハイスループットな解析に好適に適用することができる。
【００９１】
〔３．キット〕
本発明はまた、光透過性に優れた生物材料を調製するための組成物を含むキットを提供する。
【００９２】
本明細書中において使用される場合、用語「キット」は、特定の材料（例えば構成成分）を内包する容器（例えば、ボトル、プレート、チューブ、ディッシュなど）を備えた包装が意図される。キットは、各材料を使用するための指示書を備えていることが好ましい。本明細書中においてキットの局面において使用される場合、「備えた（備えている）」は、キットを構成する個々の容器のいずれかの中に上記材料が内包されている状態が意図される。また、本発明に係るキットは、複数の異なる組成物を１つに梱包した包装であってもよく、上記組成物は、溶液形態の場合、複数の異なる容器中に内包されていてもよい。本発明に係るキットは、その複数の構成要素を同一の容器に混合して備えていても別々の容器に備えていてもよい。「指示書」は、紙またはその他の媒体に書かれていても印刷されていてもよく、あるいは磁気テープ、コンピューター読み取り可能ディスクまたはテープ、ＣＤ−ＲＯＭなどの電子媒体に付されていてもよく、キットの用途を実現するための手順が記載されている。本発明に係るキットはまた、希釈剤、溶媒、洗浄液またはその他の試薬を内包した容器を備えていてもよい。さらに、本発明に係るキットは、キットの用途を実現するための手順を実行するために必要な器具および試薬を備えていてもよい。
【００９３】
一例において、キットは、上述の組成物を複数備えていてもよい。例えば、脱脂工程と脱色工程を別個に行う場合には、キットは、（Ａ）を含んでいる組成物と（Ｂ）を含んでいる組成物とを備え得る。一実施形態において、キットは、（Ａ）を含んでいる組成物と（Ｂ）を含んでいる組成物と（Ｃ）を含んでいる組成物と（Ｄ）を含んでいる組成物と（Ｅ）を含んでいる組成物とのうちの少なくとも２つ（２つ、３つ、４つ、または５つ）を備えている。また、別の実施形態において、キットは、（Ａ）〜（Ｅ）のうちの少なくとも２つ（２つ、３つ、４つ、または５つ）を含んでいる組成物と（Ａ）〜（Ｅ）のうちの別の少なくとも１つ（１つ、２つ、３つ、４つ、または５つ）を含んでいる組成物とを少なくとも備えている。
【００９４】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書は本願の優先権の基礎である日本国特許出願２０１６−０９２０２５号の明細書および図面に記載される内容を取り入れるものとする。さらに本明細書で引用した全ての刊行物および特許をそのまま参照として本明細書に取り入れるものとする。
【実施例】
【００９５】
〔１．透明化試薬の探索〕
１６１９種類の水溶性化合物のライブラリを対象に、透明化に求められる（Ａ）脂質除去能、（Ｂ）生体色素の脱色能、（Ｃ）脱灰能、（Ｄ）屈折率調整能、および（Ｅ）組織膨潤能の５つのパラメータのそれぞれについて、良好な化合物をハイスループットに評価するための実験手法を開発した。【００９６】
（Ａ．脂質除去能）
文献：Susaki et al., Cell, 157, 726-739,2014.に記載の固定脳組織可溶化アッセイ法を用いて、１６１９種類の水溶性化合物のライブラリから脂質除去能を有する化合物をスクリーニングした。【００９７】
具体的には、摘出したマウス脳をカッターナイフを用いて剪断し、更に超音波破砕した。これらの懸濁液に対して等体積量の８％ＰＦＡ溶液を加えて、４℃で１時間固定した。遠心操作により上清を除去し、ＰＢＳで３回洗浄し、１脳当たり２ｍＬになるようにＰＢＳを加えて固定脳組織懸濁液を得た。１／３．５に希釈した懸濁液２０μＬに対して、１０ｗｔ％ケミカルを１３０μＬ加えて３７℃終夜振盪させた後、これらの混合溶液の６００ｎｍにおける吸光度（濁度）を計測した。固定脳懸濁液の濁度が低下するケミカル溶液は、散乱因子となる脳組織内の脂質を可溶化することで光の散乱を低減させることが期待できる。濁度低下に寄与する上位５０ケミカルを化学的性質から分類した結果、界面活性剤、アミノアルコール、脂肪族性アミン、およびピリジンが効果的であることが示された（表１、図１）。また、固定脳懸濁液の濁度低下は、溶液のｐＨと相関しており、塩基性であるほど濁度低下が著明となった（図２）。【００９８】
次いで、一連の化合物の哺乳類組織に対する脂質除去効率を検討した。マウス半脳に対して１０ｗｔ％ケミカル溶液を３日間３７℃で処理し、ＰＢＳ洗浄後、ＣＵＢＩＣ−２Ａ（２２．５ｗｔ％スクロース、２２．５ｗｔ％アンチピリン、２５ｗｔ％尿素、１０ｗｔ％トリエタノールアミン）により屈折率調整を行った。脳組織の透過率を測定後、ＰＢＳ洗浄を行い、組織を破砕し、懸濁液の脂質量（リン脂質量およびコレステロール量）を定量した（図３）。その結果、残留リン脂質量と組織の透過度との間に高い相関が観測された（図４）。すなわち、リン脂質量が低減すればするほど、組織の透明度が上昇していることを意味している。この結果より、脂質の除去が透明度に寄与することを直接的に実証した。重要なことに、♯１０３５、♯１４５５、♯１４６０およびTriton X-100に代表される界面活性剤と比較して、アミノアルコールおよび脂肪族性アミンなどの塩基性のケミカル、ならびに♯１０５１などの一部の中性ケミカルでは高度に脱脂および透明化が進行した。このことから、上述の塩基性のケミカルおよび一部の中性ケミカルは、界面活性剤と比較して、組織内への浸透性という観点においてより優れていることが示された。得られた塩基性のケミカルのうち、価格および試薬の臭気などの観点から、♯００７０（１，３−ビス（アミノメチル）シクロヘキサン）が選択された。【００９９】
♯００７０をベースに脱脂活性が最大化するように相乗的に脱脂に寄与する組み合わせの検討を行った（図５）。ヒト脳白質小片に対して、１０ｗｔ％♯００７０＋１０ｗｔ％ケミカルのカクテルにより４日間３７℃で処理し、ＰＢＳ洗浄後、ＣＵＢＩＣ−２Ａにより屈折率調整を行った。その結果、界面活性剤であるＳＤＳとの組み合わせが、組織の損傷を伴わずに高度な透明化を実現する観点において最も優れていることがわかった。【０１００】
さらに、最適な界面活性剤を探索するために、様々な１０ｗｔ％ ♯００７０＋１０ｗｔ％界面活性剤のカクテルを調製し、ヒト脳白質に対する透明化を比較した（図６）。その結果、１０ｗｔ％♯００７０＋１０ｗｔ％ ♯０６３１のカクテルが最適な組み合わせであることが分かった。【０１０１】
代表的な蛍光タンパク質であるＥＧＦＰの蛍光は、３７℃においてｐＨが１２以上では消光されることが示された（図７）。したがって、ｐＨが１１〜１２の塩基性ケミカルに限定して、マウス半脳の透明度の比較を行った（図８）。マウス半脳に対して１０ｗｔ％ケミカル溶液を３日間３７℃で処理し、ＰＢＳ洗浄後、ＣＵＢＩＣ−２Ａにより屈折率調整を行った。これらの結果から♯０３８９および♯０４１４が選択されたが、その後様々な検討を重ねた結果、臓器の透明度は♯０４１４の方が優れていたことから、♯０４１４（Ｎ−ブチルジエタノールアミン）が高効率な脱脂ケミカルとして選択された。【０１０２】
続いて♯０４１４をベースに脱脂活性が最大化するように相乗的に脱脂に寄与する組み合わせの検討を行った（図９）。マウス腎臓に対して、１０ｗｔ％♯０４１４＋１０ｗｔ％ケミカルのカクテルにより１日間３７℃で処理し、ＰＢＳ洗浄後、ＣＵＢＩＣ−２Ａにより屈折率調整を行った。その結果、Triton X-100との組み合わせが脱脂活性および透明度共に最適であることが示された。さらに、♯０４１４＋Triton X-100のカクテルは様々な混合比において、ＥＧＦＰの消光を誘発しないことが示された（図１０）。マウス全脳に対して、１０ｗｔ％♯０４１４＋１０ｗｔ％ Triton X-100カクテルにより３日間３７℃で処理し、ＰＢＳ洗浄後、ＣＵＢＩＣ−２Ａにより屈折率調整を行った。その結果、従来のＣＵＢＩＣ−１試薬に比べて飛躍的に透明度および脱脂効率の向上が確認された（図１１）。【０１０３】
（Ｂ．生体色素脱色能）
ウシ凝固血液に対して各種化合物水溶液を混合後、上清に回収されたヘムの吸光度を計測することで脱色能を評価するハイスループットなスクリーニング系を構築した。これを用いて、１６１９種類の水溶性化合物のライブラリから生体色素脱色能を有する化合物をスクリーニングした。【０１０４】
具体的には、ウシの血液に対して等量の８％ＰＦＡ溶液を混合し、４℃で終夜反応させた。混合液を１５００×ｇで５分間遠心してＰＦＡを含む上清を廃棄し、初期体積のＰＢＳを加えて凝固血液サンプルを調製した。各種１０ｗｔ％化合物水溶液１５０μＬに対して、凝固血液サンプル５０μＬを加えて、３７℃で終夜反応させた。反応液を１５００×ｇで５分間遠心した後に、上清１００μＬをプレートに加えて吸光度を測定した。水に溶解せずに懸濁したサンプルは脱色効果が弱いにも関わらず吸光度が高い値を示すため、散乱の指標としてＯＤ７２０、ヘムの溶出の指標としてＯＤ４２０を計測し、ＯＤ４２０−ＯＤ７００を各ケミカルの脱色活性として定義し、既に脱色活性を示すことが分かっているアミノアルコール（Ｎ，Ｎ，Ｎ’，Ｎ’−テトラキス（２−ヒドロキシプロピル）エチレンジアミン）よりも高い脱色活性群を同定した（表２）。このスクリーニングにより、脱色活性が顕著な化合物群として、アルキルイミダゾールおよびピリジニウム塩を代表とする界面活性剤、ならびにアルキルアミンなどの塩基類が同定された。【０１０５】
一連の化合物の哺乳類組織に対する脱色効率を検討するために、マウス脾臓に対してＥＧＦＰの消光を誘発しない各種１０ｗｔ％ケミカル溶液を３７℃で終夜処理した後に、上清のＯＤ４２０を測定し、臓器の透過写真を撮影した（図１２）。その結果、＃０９３８（１−エチルイミダゾール）が最も高いマウス脾臓の脱色活性を示した。この試薬は、１ｇ当たり１７６円と高価であるため、脱色活性が同等な代替品として１−メチルイミダゾールを用いることとした（１ｇ当たり２５．８円）。ヘムはヘモグロビンにおいて、酸素とヒスチジンに配位されて結合している。１−アルキルイミダゾールはヒスチジンと類似の骨格を有しているため、ヘムに対する親和性が高いと予想され、強い脱色活性を示したと考えられる。一方、１位の窒素原子がアルキル化されていないイミダゾールでは脱色活性がほとんど観察されなかったことから、１位の窒素原子のアルキル化がヘムに対する親和性を向上させていると考えられる。【０１０６】
（Ｃ．脱灰能）
１６１９種類の水溶性化合物のライブラリから脱灰活性を有する化合物を包括的にスクリーニングするために、骨組織の主成分であるハイドロキシアパタイトを用いたスクリーニング系を構築した。ハイドロキシアパタイト（２００ｍｇ／ｍＬ）を４０ｖ／ｖ％グリセロールに懸濁させて各種化合物水溶液に混合後、濁度を計測した。具体的には、２００ｍｇ／ｍＬのハイドロキシアパタイト４０ｖ／ｖ％グリセロール懸濁液を９６ｗｅｌｌプレートリーダーに２０μＬずつ分注し、各種試薬を１３０μＬずつ加えて３７℃で終夜振盪および撹拌した。その後、ＯＤ６００を計測することで脱灰活性の評価を行った。水で処理したときのＯＤ６００の値をＳｃｏｒｅ１．０としたときの各種化合物水溶液のＳｃｏｒｅ値を算出した。Ｓｃｏｒｅ値が０に近い程、脱灰活性が強いケミカルであることを示している。脱灰は一般的に塩酸および硝酸などの強酸によって速やかに進行することが知られているが、これらの条件下では蛍光タンパク質のシグナルを観察することはできない。一方、中性域のＥＤＴＡは蛍光タンパク質のシグナルを保持することはできるものの強酸に比べて脱灰能が弱く、長時間の脱灰操作が必要となる。本発明において、中性域のＥＤＴＡと組み合わせて飛躍的に脱灰活性を示す溶液の開発を行った。スクリーニングの結果、ｐＨが２．０を下回るとほとんどの化合物においてＳｃｏｒｅが０になった。そこで、ｐＨが２．０以上の化合物群を構造式の特徴毎にソートしたリストを表４に示した。これらの化合物のグループ中、Ｓｃｏｒｅ値の低い化合物を枠囲みで示した。【０１０７】
これらの化合物が脱灰に有効であるかを検証するために１０ｗｔ％ＥＤＴＡ＋１０ｗｔ％脱灰候補化合物の混合溶液を脱脂試薬としての有用性が見出された♯００７０液によりｐＨ７〜８に中和したカクテルを調製した。マウス大腿骨に対して、ＮａＯＨによりｐＨ７〜８に調整したＥＤＴＡ−Ｎａ液、またはＥＤＴＡ−脱灰候補化合物−♯００７０液で処理した後に、大腿骨の透光度変化を計測した（実験は独立して２回行った）。その結果、従来のＥＤＴＡ−Ｎａ液に比べて、ＥＤＴＡ−脱灰候補化合物−♯００７０液の方が飛躍的に脱灰活性を示すことを発見した（図１３）。また、ＧＦＰに対する消光も全く確認されなかった。図１３の結果から、ＥＤＴＡ−＃１１６５−♯００７０液、およびＥＤＴＡ−＃１３００−♯００７０液が最も効果的な脱灰試薬であることが示された。【０１０８】
次に、ｐＨ調整に用いた塩基ケミカルの最適化の検討を試みた。大腿骨を用いた実験系では実験誤差が大きいので、より詳細にＥＤＴＡによる脱灰活性の最適化を行うために、ハイドロキシアパタイトを用いた評価系による検討を行った。具体的には、６０または２００ｍｇ／ｍＬのハイドロキシアパタイト４０ｖ／ｖ％グリセロール懸濁液を９６ｗｅｌｌプレートリーダーに２０μＬずつ分注し、各種試薬を１３０μＬずつ加えて３７℃で終夜振盪および撹拌した。その後、ＯＤ６００を計測することで脱灰活性の評価を行った。１０ｗｔ％ＥＤＴＡに対して、脱脂試薬としての有用性が見出された♯００７０、♯０３９０、♯０４１４、♯１０２７、♯１４３９、および♯１４５６に代表される塩基性アミンを用いてｐＨ８程度に中和したカクテルを用いて、１０ｗｔ％ＥＤＴＡ−♯０４１４が最も効果的に脱灰作用を示した（図１４）。【０１０９】
１０ｗｔ％ＥＤＴＡを♯０４１４で中和したカクテル（ＥＤＴＡ−♯０４１４）、および１０ｗｔ％ ♯０４１４をＥＤＴＡで中和したカクテル（♯０４１４−ＥＤＴＡ）の脱灰活性に対するｐＨ依存性を調べたところ、ｐＨ８付近において従来のＥＤＴＡ−ＮａＯＨ溶液に比べて顕著な脱灰活性が確認された（図１５）。温度依存性およびＥＤＴＡ濃度依存性を検討したところ、高温であればあるほど脱灰活性が強く、ＥＤＴＡ濃度はおよそ１０ｗｔ％程度が最大の脱灰活性を示した（図１６）。これらの条件を元に水酸化ナトリウムで周辺組織を溶解させたマウス大腿骨の透明化を行ったところ、効率よく脱灰が進行した。【０１１０】
さらに、ハイドロキシアパタイトを用いた評価系により塩基ケミカルの包括的な探索を行った。具体的には、１５０ｍｇ／ｍＬのハイドロキシアパタイト４０ｖ／ｖ％グリセロール懸濁液を９６ｗｅｌｌプレートリーダーに２０μＬずつ分注し、各種試薬を１３０μＬずつ加えて３７℃で終夜振盪および撹拌した。その後、ＯＤ６００を計測することで脱灰活性の評価を行った。１０ｗｔ％ＥＤＴＡに対して、ｐＨ１１以上の塩基性ケミカルを用いてｐＨ８程度に中和したカクテルにより脱灰処理を行った（図１７）。相対的な脱灰活性を比較した結果、イミダゾール類縁体が他のカテゴリよりも優位に脱灰活性が高く、なかでも＃１３５２（イミダゾール）による中和カクテルが最も高い脱灰を示した。その他では、ヘテロ環状アミンの＃１２７８（４−メチルモルホリン）による中和カクテルおよびピリジン骨格の＃０３７０（２−アミノ−６−メチルピリジン）による中和カクテルが高い脱灰活性を示した。【０１１１】
（Ｄ．屈折率調整能）
一般に水溶液の屈折率は溶質の濃度に依存して上昇することが知られており、個々の試薬により単位重量当たりの屈折率は異なっている。したがって、高屈折率水溶液を調製するために求められる性質は、（１）水溶性が極めて高いこと、（２）低濃度の水溶液で屈折率が高い溶剤であること、の２点である。１６１９種類の水溶性化合物のライブラリから（２）に該当する試薬を網羅的に探索するために、各種１０ｗｔ％化合物水溶液の５８９ｎｍにおける屈折率を測定し、屈折率の高い化合物をスクリーニングした。さらにその中から水溶性の高い化合物を選別するために、６０〜８０ｗｔ％水溶液を調製し、屈折率が１．４７〜１．５０の化合物群を同定した（表３）。【０１１２】
収縮を抑制する観点から、これらの化合物群の中から塩を含まない７種類の化合物に対して屈折率調整の効果を比較検討した。具体的には、８週齢の雄性マウスの腎臓を、１０ｗｔ％♯０４１４＋１０ｗｔ％ Triton X-100混合溶液中で３７℃で４日間振盪させた後、ＰＢＳで洗浄を行った。さらに１／２倍に希釈した高屈折率溶液中で３７℃で終夜振盪させ、次いで原液の高屈折率溶液中でさらに３７℃で終夜振盪させた後、透過画像および組織の透光度を測定した（図１８）。なお、比較として、ＣＵＢＩＣ−２Ａ溶液、７０ｗｔ％ Histodenz溶液、および７０ｗｔ％スクロース溶液を用いた。その結果、既に報告されている高濃度Histodenz溶液および高濃度スクロース溶液に比べて、♯０５８７、♯０６４０、♯１１０２、および♯１２８３の透明度が、臓器の見た目および透光度共に高い結果を得た。【０１１３】
続いて、これらのケミカルのカクテルによる高度な屈折率調整剤の探索を目的として、各種４６ｗｔ％／３０ｗｔ％混合溶液を調整した。８週齢の雄性マウスの肺を１０ｗｔ％ ♯０４１４＋１０ｗｔ％ Triton X-100混合溶液中で３７℃で４日間振盪させた後、ＰＢＳで洗浄を行った。さらに１／２倍に希釈した高屈折率溶液中で３７℃で終夜振盪させ、次いで原液の高屈折率溶液中でさらに３７℃で終夜振盪させた後、透過画像および組織の透光度を測定した（図１９）。その結果、何れも良好な透明度を達成したが、なかでも４６ｗｔ％＃０６４０＋３０ｗｔ％＃１２８３、４６ｗｔ％＃０６４０＋３０ｗｔ％ニコチンアミド（＃０８５５）、および４６ｗｔ％ Histodenz＋３０ｗｔ％＃１２８３が、最も高い透明度を達成した。【０１１４】
（Ｅ．組織膨潤能）
組織に対して膨潤を引き起こすことで、組織の透明度を上げることができることが一般に知られている。脳の膨潤収縮とゼラチンの膨潤収縮の挙動とが高い相関を示すことを確認し、ゼラチンを用いるスクリーニング系を確立した。９％のゼラチン水溶液と０．８％パラホルムアルデヒド溶液とを混合し、混合された溶液を９６ウェルプレート上に２００μＬ分注したのちに４℃で１６時間インキュベートした。固まったゼラチンプレートに対して、１６１９種類の水溶性化合物のライブラリ各種１０ｗｔ％化合物水溶液を１７０μＬ分注し、室温で７２時間インキュベートを行った。その後ゼラチンプレートを、３回ほど純水を用いて洗浄し、水をよくふき取り、水の吸収波長の１つである９７５ｎｍの吸光度を測定した。１６１９種類の水溶性化合物のライブラリから尿素の膨潤活性をScore 1として尿素を超える化合物群をスクリーニングした。その結果、膨潤活性をもつ水溶性化合物が同定された（図２０）。【０１１５】
同定された化合物が実際にマウス脳に対して膨潤させる活性があるかを検証するために、上記化合物のうち＃１３５２を用いて１２時間おきに液交換して３日間、ＣＵＢＩＣ−１を用いて脱脂処理を行った脳を振盪させた。その結果、脳の高い膨潤が観察された（図２１）。また、膨潤された脳が実際に高い透明度を示すかどうかを検証するために、＃１３５２にて膨潤させた脳を、高い屈折率調整能をもつ５５ｗｔ％＃０６４０＋５ｗｔ％ ＃１３５２混合溶液中で振盪させたところ、膨潤されたまま非常に高い透明度を持つ脳サンプルを作製することに成功した（図２２）。【０１１６】
〔２．透明化試薬の使用例〕
（１．マウス肝臓およびヒト脳白質を含む組織の透明化）
マウス肝臓およびヒト脳白質を含む組織の透明化は、例えば、以下の手順で行うことができる。
（１）４％パラホルムアルデヒド溶液で還流固定したマウス肝臓、またはホルマリン固定したヒト脳組織を、ＰＢＳに浸漬する。
（２）Permeabilization solution（Sol. PE：１０ｗｔ％ １，３−ビス（アミノメチル）シクロヘキサン、１０ ｗｔ％ ドデシルベンゼンスルホン酸ナトリウムまたはドデシル硫酸ナトリウム）に３７℃で２〜４日間ほど浸漬する。
（３）ＰＢＳで数回、各数時間ずつ洗浄する。
（４）Clearing solution（Sol. CL: ２２．５ｗｔ％ スクロース、２２．５ｗｔ％ アンチピリン、１０ｗｔ％ トリエタノールアミン、２５％ 尿素）に５０℃で２〜４日間ほど浸漬する。
（５）必要に応じて、再度ＰＢＳで洗浄し、保存する。【０１１７】
上記の手順で実際に行った結果を図２３に示す。【０１１８】
（２．マウス脾臓の脱色）
マウス脾臓の脱色は、例えば、以下の手順で行うことができる。
（１）４％パラホルムアルデヒド溶液で還流固定した脾臓組織をＰＢＳに浸漬する。
（２）１０ｗｔ％ ♯０４４１（ベンゼトニウムクロリド）、♯０４８４（１−（３−アミノプロピル）イミダゾール）、♯０６５１（デシルジメチル（３−スルホプロピル）アンモニウムヒドロキシド分子内塩）、♯０９３８（１−エチルイミダゾール）、または♯１２８３（Ｎ−メチルニコチンアミド）に３７℃で２〜４日間ほど浸漬する。対照として♯１０（Ｎ，Ｎ，Ｎ’，Ｎ’−テトラキス（２−ヒドロキシプロピル）エチレンジアミン）、またはＣＵＢＩＣ−１、ＰＢＳに３７℃で２〜４日間ほど浸漬したものも作製する。
（３）脱色された脾臓を撮影する。上清に溶出されたヘムを４２０ｎｍの吸収を測定することで定量する。【０１１９】
上記の手順で実際に行った結果を図１２に示す。【０１２０】
（３．マウス脳組織の透明化）
マウス脳組織の透明化は、例えば、以下の手順で行うことができる。
（１）４％パラホルムアルデヒド溶液で還流固定したマウス脳組織をＰＢＳに浸漬する。半脳に切り分ける。
（２）Brain delipidation solution（１０ｗｔ％Ｎ−ブチルジエタノールアミン、１０ｗｔ％ Triton X-100）に３７℃で２〜４日間ほど浸漬する。
（３）ＰＢＳで数回、各数時間ずつ洗浄する。
（４）Clearing solution（Sol. CL: ２２．５ｗｔ％ スクロース、２２．５ｗｔ％ アンチピリン、１０ｗｔ％ トリエタノールアミン、２５％ 尿素）に３７℃で１日間ほど浸漬する。
（５）必要に応じて、再度ＰＢＳで洗浄し、保存する。【０１２１】
上記の手順で実際に行った結果を図２４に示す。【０１２２】
（４．脱脂処理組織の屈折率調整）
脱脂処理組織の屈折率調整は、例えば、以下の手順で行うことができる。
（１）４％パラホルムアルデヒド溶液で還流固定したマウス脳組織を４％パラホルムアルデヒド溶液で後固定した後、ＰＢＳに浸漬する。半脳に切り分ける。
（２）切り分けられた脳組織をＣＵＢＩＣ−１に３７℃で３〜５日間ほど浸漬する。
（３）ＰＢＳに１日間ほど浸漬する。
（４）７０ｗｔ％ ♯０３８９（Ｎ−ベンジルエタノールアミン）、６０ｗｔ％ ♯０６４０（アンチピリン）、または７０ｗｔ％ ♯０７８８（Ｎ，Ｎ−ジメチルベンズアミド）に室温で１日間ほど浸漬する。【０１２３】
上記の手順で実際に行った結果を図２５に示す。【０１２４】
（５．マウス各種臓器の透明化）
マウス各種臓器（脳、心臓、肺、肝臓および腎臓）の透明化は、例えば、以下の手順で行うことができる。
（１）４％パラホルムアルデヒド溶液で還流固定したマウス臓器を摘出し、４℃で終夜４％パラホルムアルデヒド溶液で後固定する。
（２）ＰＢＳで数回、各数時間ずつ洗浄する。
（３）Permeabilization CUBIC-L solution（Sol. PE CUBIC-L：１０ｗｔ％ Ｎ−ブチルジエタノールアミン、１０ ｗｔ％Triton X-100）に３７℃で２〜４日間ほど浸漬する。
（４）ＰＢＳで数回、各数時間ずつ洗浄する。
（５）蒸留水で１／２倍希釈したClearing CUBIC-R solution（Sol. CL CUBIC-R: ４６ｗｔ％ アンチピリン、３０ｗｔ％ ニコチンアミド）に室温で終夜浸漬する。
（６）原液Sol. CL CUBIC-Rに２日間浸漬する。【０１２５】
上記の手順で実際に行った結果を図２６の左に示す。【０１２６】
（６．マウス全身の透明化）
マウス個体全身の透明化は、例えば、以下の手順で行うことができる。
（１）４％パラホルムアルデヒド溶液で還流固定した後、Sol. PE CUBIC-Lを１００〜２００ｍＬ全身に灌流させる。
（２）Sol. PE CUBIC-Lに３７℃で７日間浸漬する。この間、２日に１回の液交換を行う。
（３）ＰＢＳで数回、各数時間ずつ洗浄し、ＰＢＳに室温で終夜浸漬する。
（４）蒸留水で１／２倍希釈したSol. CL CUBIC-Rに室温で終夜浸漬する。
（５）原液Sol. CL CUBIC-Rに２日間浸漬する。【０１２７】
上記の手順で実際に行った結果を図２６の中央に示す。【０１２８】
（７．マウス背骨の透明化）
マウス背骨の透明化は、例えば、以下の手順で行うことができる。
（１）４％パラホルムアルデヒド溶液で還流固定したマウス背骨を摘出し、４℃で終夜４％パラホルムアルデヒド溶液で後固定する。
（２）ＰＢＳで数回、各数時間ずつ洗浄する。
（３）Sol. PE CUBIC-Lに３７℃で３日間浸漬する。
（４）ＰＢＳで数回、各数時間ずつ洗浄する。
（５）Decalcification CUBIC-B solution（Sol. DC CUBIC-B：１０ｗｔ％ ＥＤＴＡ、１５ｗｔ％ イミダゾール）に３７℃で６日間浸漬する。
（６）ＰＢＳで数回、各数時間ずつ洗浄する。
（７）Sol. PE CUBIC-Lに３７℃で３日間浸漬する。
（８）ＰＢＳで数回、各数時間ずつ洗浄する。
（９）蒸留水で１／２倍希釈したSol. CL CUBIC-Rに室温で終夜浸漬する。
（１０）原液Sol. CL CUBIC-Rに２日間浸漬する。【０１２９】
上記の手順で実際に行った結果を図２６の右に示す。【０１３０】
（８．ヒト組織の透明化）
（１）ホルマリン固定したヒト組織をＰＢＳに浸漬し、数回、各数時間ずつ洗浄し、室温で終夜ＰＢＳに浸漬する。
（２）Sol. PEに３７℃で５〜１０日間ほど浸漬する。
（３）ＰＢＳで数回、各数時間ずつ洗浄し、ＰＢＳに室温で終夜浸漬する。
（４）蒸留水で１／２倍希釈したSol. CL CUBIC-Rに室温で終夜浸漬する。
（５）原液Sol. CL CUBIC-Rに２日間浸漬する。【０１３１】
上記の手順で実際に行った結果を図２７に示す。【０１３２】
（９．ヒト脳組織の透明化）
（１）ホルマリン固定したヒト組織をＰＢＳに浸漬し、数回、各数時間ずつ洗浄し、室温で終夜ＰＢＳに浸漬する。
（２）Sol. PE CUBIC-HBL solution（Sol. PE CUBIC-HBL：１０ｗｔ％ Ｎ−ブチルジエタノールアミン、１０ｗｔ％Triton X-100、１５ｗｔ％ イミダゾール）に３７℃で５〜１０日間ほど浸漬する。
（３）ＰＢＳで数回、各数時間ずつ洗浄し、ＰＢＳに室温で終夜浸漬する。
（４）蒸留水で１／２倍希釈したSol. CL CUBIC-Rに室温で終夜浸漬する。
（５）原液Sol. CL CUBIC-Rに２日間浸漬する。【０１３３】
上記の手順で実際に行った結果を図２８に示す。【０１３４】
（１０．マーモセット脳の透明化）
（１）４％パラホルムアルデヒド溶液で還流固定したマーモセット脳を摘出し、４℃で終夜４％パラホルムアルデヒド溶液で後固定する。
（２）ＰＢＳで数回、各数時間ずつ洗浄する。
（３）Sol. PE CUBIC-Lに３７℃で２１日間ほど浸漬する。この間、２日に１回の液交換を行う。
（４）０．０１％アジ化ナトリウム入りＰＢＳ（以下、AzidoＰＢＳ）に室温で１週間浸漬する。この間、毎日液交換を行う。
（５）１０μｇ／ｍＬプロピジウムヨージドおよび１．５Ｍ ＮａＣｌ含有ＰＢＳに３７℃で１２日間浸漬する。
（６）AzidoＰＢＳに２日間浸漬し、洗浄する。この間、半日に１回の液交換を行う。
（７）蒸留水で１／２倍希釈したSol. CL CUBIC-Rに室温で終夜浸漬する。
（８）原液Sol. CL CUBIC-Rに４日間浸漬する。
（９）AzidoＰＢＳに浸漬し、２日間洗浄する。この間、半日に１回の液交換を行う。
（１０）１０ｗｔ％イミダゾール水溶液に室温で２日間浸漬する。この間、半日に１回の液交換を行う。
（１１）蒸留水で１／２倍希釈した１ｗｔ％＃０４１４含むSol. CL CUBIC-R（以下、Sol. CL CUBIC-R２）に室温で４日間浸漬する。
（１２）Sol. CL CUBIC-R２に室温で７日間浸漬する。途中１回の液交換を行う。
（１３）AzidoＰＢＳに２日間浸漬し、洗浄する。この間、半日に１回の液交換を行う。
（１４）Sol. PE CUBIC-Lに室温で３日間浸漬する。その後、３７℃で２週間浸漬し、さらに４５℃で１週間浸漬する。一連の工程において、２日間に１回の液交換を行う。
（１５）AzidoＰＢＳに２日間浸漬し、洗浄する。この間、半日に１回の液交換を行う。
（１６）１０μｇ／ｍＬプロピジウムヨージドおよび１．５Ｍ ＮａＣｌ含有ＰＢＳに３７℃で７日間浸漬する。
（１７）AzidoＰＢＳに２日間浸漬し、洗浄する。この間、半日に１回の液交換を行う。
（１８）１０ｗｔ％イミダゾール水溶液に室温で２日間浸漬する。この間、半日に１回の液交換を行う。
（１９）蒸留水で１／２倍希釈したSol. CL CUBIC-R２に室温で３日間浸漬する。
（２０）Sol. CL CUBIC-R２に室温で７日間浸漬する。途中１回の液交換を行う。【０１３５】
上記の手順で実際に行った結果を図２９に示す。【０１３６】
【表１】
2017188264.tif 000002
2017188264.tif 000003
【０１３７】
2017188264.tif 000004
2017188264.tif 000005
【０１３８】
2017188264.tif 000006
2017188264.tif 000007
【０１３９】
2017188264.tif 000008
【０１４０】
【表２】
2017188264.tif 000009
【０１４１】
2017188264.tif 000010
【０１４２】
2017188264.tif 000011
【０１４３】
2017188264.tif 000012
【０１４４】
2017188264.tif 000013
【０１４５】
2017188264.tif 000014
【０１４６】
【表３】
2017188264.tif 000015
2017188264.tif 000016
【０１４７】
2017188264.tif 000017
>
【０１４８】
2017188264.tif 000018
【０１４９】
【表４】
2017188264.tif 000019
【０１５０】
2017188264.tif 000020
【０１５１】
2017188264.tif 000021
【産業上の利用可能性】
【０１５２】
本発明は、例えば、ハイスループットな組織内遺伝子発現、細胞局在、および細胞形態の観察を全組織レベルで行う際に利用することができる。
【図１】
2017188264.tif 000022
【図２】
2017188264.tif 000023
【図３】
2017188264.tif 000024
【図４】
2017188264.tif 000025
【図５】
2017188264.tif 000026
【図６】
2017188264.tif 000027
【図７】
2017188264.tif 000028
【図８】
2017188264.tif 000029
【図９】
2017188264.tif 000030
【図１０】
2017188264.tif 000031
【図１１】
2017188264.tif 000032
【図１２】
2017188264.tif 000033
【図１３】
2017188264.tif 000034
【図１４】
2017188264.tif 000035
【図１５】
2017188264.tif 000036
【図１６】
2017188264.tif 000037
【図１７】
2017188264.tif 000038
【図１８】
2017188264.tif 000039
【図１９】
2017188264.tif 000040
【図２０】
2017188264.tif 000041
【図２１】
2017188264.tif 000042
【図２２】
2017188264.tif 000043
【図２３】
2017188264.tif 000044
【図２４】
2017188264.tif 000045
【図２５】
2017188264.tif 000046
【図２６】
2017188264.tif 000047
【図２７】
2017188264.tif 000048
【図２８】
2017188264.tif 000049
【図２９】
2017188264.tif 000050
【国際調査報告】
2017188264.tif 000051
2017188264.tif 000052
2017188264.tif 000053
2017188264.tif 000054
2017188264.tif 000055
2017188264.tif 000056
2017188264.tif 000057
2017188264.tif 000058